(57)【要約】【課題】画像形成装置における露光手段へ送るデータがノイズの影響を受けず、さらに線材の引き回しに対する設計上の考慮やメンテナンス性の悪化に対処した画像形成装置を提供することが課題である。【解決手段】画像形成装置内部に設けられたスキャナや、外部のパソコン、電話線などを通して送られてきた画像データ、またはその画像データを露光装置の発光ダイオード、またはレーザなどに与える露光データに展開したデータを、無線通信で送信し、露光手段に設けたデータ受信部で受信して、露光装置によって感光体で構成した像担持体に露光するようにしたものである。【選択図】      図１
2004317674.tif 000002
【特許請求の範囲】
【請求項１】
帯電させた感光体へ潜像を形成するための露光を行う露光手段を有した画像形成装置において、
前記画像形成装置は、画像データを展開して前記露光手段への露光データを生成する画像データ展開部と、該画像データ展開部が展開した露光データを無線で送信するデータ送信部とを有し、前記露光手段は、前記データ送信部からの露光データを受信するデータ受信部と、該データ受信部が受信した露光データで前記露光手段における露光装置を駆動する駆動回路と、前記感光体を露光する露光装置とからなり、前記画像データから生成した露光データを無線で前記露光装置に送って露光することを特徴とする画像形成装置。
【請求項２】
前記画像データを展開して前記露光手段への露光データを生成する画像データ展開部と、該画像データ展開部が展開した露光データを無線で送信するデータ送信部とを、前記画像形成装置の外部に設置したことを特徴とする請求項１に記載した画像形成装置。
【請求項３】
帯電させた感光体へ潜像を形成するための露光を行う露光手段を有した画像形成装置において、
前記画像形成装置は画像データを無線で送信するデータ送信部を有し、前記露光手段は、前記データ送信部からの画像データを受信するデータ受信部と、該データ受信部が受信した画像データを展開して前記露光手段への露光データを生成する画像データ展開部と、該画像データ展開部が展開した露光データで前記露光手段における露光装置を駆動する駆動回路と、前記感光体を露光する露光装置とからなり、前記画像データを無線で前記露光装置に送って露光することを特徴とする画像形成装置。
【請求項４】
前記画像データを無線で送信するデータ送信部を前記画像形成装置の外部に設置したことを特徴とする請求項１に記載した画像形成装置。
【請求項５】
前記露光手段の電力を、電磁誘導方式により、非接触で供給するようにしたことを特徴とする請求項１乃至４のいずれかに記載した画像形成装置。
【発明の詳細な説明】
【０００１】
【発明の属する技術分野】
本発明は電子写真方式を用いた複写機、プリンタ、ファクシミリ、それらの複合機などの画像形成装置に関し、特に、画像形成のための露光手段へのデータを無線通信で送信できるようにした画像形成装置に関するものである。
【０００２】
【従来の技術】
電子写真方式を用いた複写機、プリンタ、ファクシミリ、それらの複合機などの画像形成装置は、オフィスのネットワーク化、デジタル技術の進歩に伴うオフィス環境の変化に対応し、オフィスのＯＡ機器の中心的役割を果たすことが可能な多機能な画像処理装置となりつつあり、例えば特許文献１には、シートに画像を形成する画像形成手段と、画像情報を有する媒体若しくは画像データに対して所定の処理を行う画像処理手段と、それら画像形成手段と画像処理手段の操作を行うための操作部と、外部端末と無線通信を行うための送受信部とを設けた画像形成装置が示されている。
【０００３】
そしてこういった電子写真法式を用いた画像形成装置では、感光体で構成した像担持体上へ画像を形成するため、発光ダイオードアレイや、レーザなどの光源とポリゴンミラーを用いた露光手段が用いられている。そしてこれらの露光手段のうち、発光ダイオードアレイを用いたものは、回路基板の上面に多数の発光素子を直線状に配列した発光素子アレイチップを複数個一列状に配置し、さらにこれら発光素子アレイチップ上にロッドレンズアレイ等のレンズアレイを配置した構造をしており、前記発光素子アレイチップの発光素子を、外部から送られた画像データに基づいて個々に選択的に発光させると共に、発光した光を前記レンズアレイによって像担持体に照射・結像させ、所定の潜像を形成するようにしている。また、レーザとポリゴンミラーを用いた露光手段では、外部から送られた画像データに基づいて変調されるレーザ光を回転するポリゴンミラーで振り、像担持体上を走査して所定の潜像を形成するようにしている。
【０００４】
そして、こうして像担持体上に形成された潜像は、その後、所定の現像プロセスを経てトナー像となり、このトナー像を記録紙に転写・定着させることによって、記録紙に所定の画像が記録されるようになっている。
【０００５】
しかしながら、これら露光手段における発光ダイオードアレイやレーザへのデータ転送は、従来から線材を用いておこなわれていたため、線材自体がアンテナの役割をし、画像形成装置内のノイズを傍受して信号にノイズが混入するという問題があった。また、配線に多数の線材が使われ、設計に際してその線材を束ねる方法や引き回しの方法を考えたりせねばならず、また、多数の線材が使われることによって、メンテナンスの際にはそれら線材の行き先を調べたり、目的の素子が線材に隠されてメンテナンス性を悪くするといったこともあった。
【０００６】
そしてノイズの混入への対処方法としては、一般的に線材を金属箔でシールドするといったことが行われているが、引き回した配線をすべてシールドするのは大変である。また、線材の引き回しに際しては、予め線材を引き回す経路を定める必要があるが、設計に時間がかかったり配線に時間がかかったりするといった問題はそのまま残り、またメンテナンス上の問題点も残ってしまう。
【０００７】
【特許文献１】
特開２００１−２３０８９３公報
【０００８】
【発明が解決しようとする課題】
上述の事情に鑑み本発明は、露光手段へ送るデータがノイズの影響を受けず、さらに線材の引き回しに対する問題点を解決した画像形成装置を提供することが課題である。
【０００９】
【課題を解決するための手段】
上記課題を解決するため本発明は、
帯電させた感光体へ潜像を形成するための露光を行う露光手段を有した画像形成装置において、
前記画像形成装置は、画像データを展開して前記露光手段への露光データを生成する画像データ展開部と、該画像データ展開部が展開した露光データを無線で送信するデータ送信部とを有し、前記露光手段は、前記データ送信部からの露光データを受信するデータ受信部と、該データ受信部が受信した露光データで前記露光手段における露光装置を駆動する駆動回路と、前記感光体を露光する露光装置とからなり、前記画像データから生成した露光データを無線で前記露光装置に送って露光することを特徴とする。
【００１０】
また、帯電させた感光体へ潜像を形成するための露光を行う露光手段を有した画像形成装置において、
前記画像形成装置は画像データを無線で送信するデータ送信部を有し、前記露光手段は、前記データ送信部からの画像データを受信するデータ受信部と、該データ受信部が受信した画像データを展開して前記露光手段への露光データを生成する画像データ展開部と、該画像データ展開部が展開した露光データで前記露光手段における露光装置を駆動する駆動回路と、前記感光体を露光する露光装置とからなり、前記画像データを無線で前記露光装置に送って露光することを特徴とする。
【００１１】
このように、画像データ、またはその画像データを展開した露光データを無線で露光手段側に送ることにより、例えば赤外線や可視光、及びノイズの影響を受けにくい波長の電波など、電気的雑音に影響されない波長でデータを送ることによって画像形成装置内のノイズの影響を全く受けないようにすることができ、さらに配線の引き回しが全くなくなるから、線材の引き回しに係わる設計上の配慮が必要なくなる。さらに露光手段は、コネクタ等の線材接続手段も電源ライン以外は不必要となるので、露光手段をコンパクト化できると共に、メンテナンス性も改善されて、信号の伝達を正確に行うことができる画像形成装置を提供することができる。
【００１２】
そして、前記画像データを展開して前記露光手段への露光データを生成する画像データ展開部と、該画像データ展開部が展開した露光データを無線で送信するデータ送信部、または、前記画像データを無線で送信するデータ送信部を前記画像形成装置の外部に設置することにより、画像形成装置外部からデータを無線で送ることができ、パソコンなどから離れた場所に設置した画像形成装置においても自由に画像形成を実施することが可能となる。
【００１３】
また、前記露光手段の電力を、電磁誘導方式により、非接触で供給することにより、電力供給も無線化することができ、より、線材の引き回しを少なくすることができる。
【００１４】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１５】
図１は本発明に係る露光手段を有した画像形成装置の第１実施形態を示したブロック図、図２は本発明に係る露光手段を有した画像形成装置の第２実施形態を示したブロック図、図３は本発明に係る露光手段を有した画像形成装置の第３実施形態を示したブロック図、図４は本発明に係る露光手段を有した画像形成装置の第４実施形態を示したブロック図である。
【００１６】
図中同一構成要素には同一番号が付してあり、１は画像形成装置、２は画像形成装置の制御部、３は外部から送られてくる画像データの記憶部、４は画像データ記憶部３に記憶した画像データを、露光手段を構成する発光ダイオード、またはレーザに与える露光データに展開する画像データ展開部、５は画像データ展開部４が展開した露光データを赤外線、可視光、そして雑音などに影響されない帯域とした電波などを用いて無線通信で送るデータ送信部、６は露光手段、７は無線で送られてきた露光データを受信するデータ受信部、８は露光装置９を構成する発光ダイオードまたはレーザを駆動する露光装置駆動回路、９は前記したように発光ダイオードアレイとレンズアレイ、またはレーザとポリゴンミラーなどで構成した露光装置、１０はこれらデータ受信部７、露光装置駆動回路８、露光装置９などで構成される露光手段に電力を供給する電源、２０は本発明に係る露光手段の第２実施形態を有した画像形成装置、２１は本発明の第２実施形態の露光手段、３０は本発明の第３実施形態の露光手段を有した画像形成装置３１に露光データを送信する画像形成装置外のパソコンなどに設けたデータ送信部、４０は本発明の第４実施形態の露光手段を有した画像形成装置４１に画像データを送信する画像形成装置外のパソコンなどに設けたデータ送信部である。なお、露光装置９がレーザとポリゴンミラーで構成されているときは、図示していないポリゴンミラー回転用ポリゴンモータなどが用いられる。
【００１７】
本発明においては、画像形成装置内部に設けられたスキャナや、外部のパソコン、電話線などを通して送られてきた画像データ、またはその画像データを露光装置９の発光ダイオード、またはレーザなどに与える露光データに展開したデータを、無線通信で送信し、露光手段６に設けたデータ受信部７で受信して、露光装置９によって感光体で構成した像担持体を露光するようにしたものである。そしてこの無線通信における波長を、例えば赤外線や可視光、及びノイズの影響を受けにくい波長の電波など、電気的雑音に影響されない波長とし、画像形成装置内のノイズの影響を全く受けないようにしたもので、さらに配線の引き回しが必要なくなるから、設計上の配慮が不用となる。また露光手段は、コネクタ等の線材接続手段も電源ライン以外は不要となるので、露光手段をコンパクト化できると共に、メンテナンス性も改善され、信号の伝達を正確に行うことができる画像形成装置を提供することができる。
【００１８】
以下本発明の第１実施形態を図１に従って詳細に説明すると、制御部２は、図示しないスキャナ（複写機の場合）やパソコン（プリンタの場合）などからの画像データを画像データ記憶部３に記憶し、次いで画像データ展開部４によってこの画像データを露光装置９の発光ダイオード、またはレーザなどに与える露光データに展開する。そして制御部２は、データ送信部５からこの露光データを露光手段６のデータ受信部７に送信する。そしてデータ受信部７がこのデータを受信し、露光手段６の露光装置駆動回路８に送って露光装置９を駆動し、前記したように発光ダイオード、またはレーザなどを駆動して図示していない感光体で構成される像担持体を露光し、潜像を形成する。そして像担持体上に形成された潜像は、所定の現像プロセスを経てトナー像となり、このトナー像を記録紙に転写・定着させることによって記録紙に所定の画像が記録される。
【００１９】
図２は本発明の第２実施形態の画像形成装置であり、前記第１実施形態においては、画像データ記憶部３に記憶された画像データを画像データ展開部４で露光データに展開した後データ送信部で送信したが、この第２実施形態においては、画像データ展開部４を露光手段２１側に置き、データ送信部５は、露光データへの展開前のデータを無線で送信するようにしたものである。
【００２０】
そのためこの第２実施形態においては、制御部２は、図示しないスキャナ（複写機の場合）やパソコン（プリンタの場合）などからの画像データを画像データ記憶部３に記憶すると、その画像データをそのままデータ送信部５から露光手段６のデータ受信部７に送信する。そしてデータ受信部７がこのデータを受信し、画像データ展開部４によってこの画像データを露光装置９の発光ダイオード、またはレーザなどに与える露光データに展開する。そしてその後、露光手段６の露光装置駆動回路８に送って露光装置９を駆動し、前記したように発光ダイオード、またはレーザなどを駆動して図示していない感光体で構成される像担持体を露光し、潜像を形成する。そして像担持体上に形成された潜像は、所定の現像プロセスを経てトナー像となり、このトナー像を記録紙に転写・定着させることによって記録紙に所定の画像が記録される。
【００２１】
図３、図４は本発明の第３実施形態、第４実施形態の画像形成装置であり、前記第１実施形態、第２実施形態においては、データ送信部５とその前段回路を画像形成装置１内部に置くとしたが、この第３実施形態、第４実施形態においては、これらデータ送信部５とその前段回路を画像形成装置外のパソコンやサーバなどに置き、画像形成装置内部にはデータ受信部７以後の露光手段のみを置くようにしたものである。このようにすることにより、画像形成装置がパソコンなどと離れた場所にあっても、画像形成装置の所に行くことなく画像形成を実施することが可能となる。
【００２２】
すなわちまず図３に示した第３実施形態においては、画像形成装置３１の外部のパソコンやサーバなどに設けた送信部３０における制御部２が、図示しないスキャナからのデータやプリントする画像データ（文章データを含む）を画像データ記憶部３に記憶し、画像データ展開部４によってこの画像データを露光装置９の発光ダイオード、またはレーザなどに与える露光データに展開する。そしてデータ送信部５から、画像形成装置３１における露光手段６のデータ受信部７に送信する。するとデータ受信部７がこのデータを受信し、露光手段６の露光装置駆動回路８に送って露光装置９を駆動して、前記したように発光ダイオード、またはレーザなどを駆動して図示していない感光体で構成される像担持体を露光し、潜像を形成する。そして像担持体上に形成された潜像は、所定の現像プロセスを経てトナー像となり、このトナー像を記録紙に転写・定着させることによって、記録紙に所定の画像が記録される。
【００２３】
図４に示した第４実施形態においては、画像形成装置４１の外部のパソコンやサーバなどに設けた送信部４０における制御部２が、図示しないスキャナからのデータやプリントする画像データ（文章データを含む）を画像データ記憶部３に記憶し、その画像データをそのまま、データ送信部５から画像形成装置３１における露光手段６のデータ受信部７に送信する。そしてデータ受信部７はこのデータを受信し、画像データ展開部４によってこの画像データを露光装置９の発光ダイオード、またはレーザなどに与える露光データに展開する。そしてさらに、露光装置駆動回路８に送って露光装置９を駆動し、前記したように発光ダイオード、またはレーザなどを駆動して図示していない感光体で構成される像担持体を露光し、潜像を形成する。そして像担持体上に形成された潜像は、所定の現像プロセスを経てトナー像となり、このトナー像を記録紙に転写・定着させることによって記録紙に所定の画像が記録される。
【００２４】
以上が本発明に係る露光手段を有した画像形成装置の詳細であるが、以上の説明では露光手段の電源は、有線で画像形成装置内の露光手段に電力を供給するよう図示してきたが、例えば剃刀などの無線充電に用いられている電磁誘導方式により、無線で電力を供給するようにしても良い。このようにすると、露光手段への電源供給のための配線引き回しも必要なくなり、さらにメンテナンス性に優れた画像形成装置とすることができる。
【００２５】
なお、無線通信に使用する波長は、赤外線や可視光、及びノイズの影響を受けにくい波長の電波など、電気的雑音に影響されない波長とし、露光装置が設置される機構が許容するものであればどの周波数帯域の波長を用いても良い。
【００２６】
【発明の効果】
以上記載の如く本発明によれば、画像データ、またはその画像データを展開した露光データを無線で露光手段側に送ることにより、例えば赤外線や可視光、及びノイズの影響を受けにくい波長の電波など、電気的雑音に影響されない波長でデータを送ることによって画像形成装置内のノイズの影響を全く受けないようにすることができ、さらに配線の引き回しが全くなくなるから、線材の引き回しに係わる設計上の配慮が必要なくなる。さらに露光手段は、コネクタ等の線材接続手段も電源ライン以外は不必要となるので、露光手段をコンパクト化できると共に、メンテナンス性も改善されて、信号の伝達を正確に行うことができる画像形成装置を提供することができる。
【００２７】
そして、前記画像データを展開して前記露光手段への露光データを生成する画像データ展開部と、該画像データ展開部が展開した露光データを無線で送信するデータ送信部、または、前記画像データを無線で送信するデータ送信部を前記画像形成装置の外部に設置することにより、画像形成装置外部からデータを無線で送ることができ、パソコンなどと離れた場所に設置した画像形成装置においても自由に画像形成を実施することが可能となる。
【００２８】
また、前記露光手段の電力を、電磁誘導方式により、非接触で前記露光手段に供給することにより、電力供給も無線化することができ、より、線材の引き回しを少なくすることができる。
【図面の簡単な説明】
【図１】本発明に係る露光手段を有した画像形成装置の第１実施形態を示したブロック図である。
【図２】本発明に係る露光手段を有した画像形成装置の第２実施形態を示したブロック図である。
【図３】本発明に係る露光手段を有した画像形成装置の第３実施形態を示したブロック図である。
【図４】本発明に係る露光手段を有した画像形成装置の第４実施形態を示したブロック図である。
【符号の説明】
１  画像形成装置
２  制御部
３  画像データ記憶部
４  画像データ展開部
５  データ送信部
６  露光手段
７  データ受信部
８  露光装置駆動回路
９  露光装置
１０  電源
【図１】
2004317674.tif 000003
【図２】
2004317674.tif 000004
【図３】
2004317674.tif 000005
【図４】
2004317674.tif 000006